(57)【特許請求の範囲】
【請求項１】
棒状体の両端と中央部の計３ケ所に取付座が設けられており、棒状体の中央部の取付座よりも上方に延在する部分はシャワーフックが摺動可能に係合するシャワーハンガーとして機能し、棒状体の中央部の取付座よりも下方に延在する部分は手すりとして機能すると共に表面が軟質樹脂により被覆されていることを特徴とするスライド式シャワーハンガー。
【請求項２】
前記軟質樹脂の被覆の表面に凹凸が形成されていることを特徴とする請求項１に記載のスライド式シャワーハンガー。
【請求項３】
棒状体の中央部の取付座よりも下方に延在する部分の表面が、硬質樹脂により被覆され、硬質樹脂の被覆の表面に、棒状体の延在方向に延在する複数条の軟質樹脂の帯が、周方向に互いに間隔を隔てて、接着され又は一体形成されていることを特徴とする請求項１に記載のスライド式シャワーハンガー。
【請求項４】
棒状体の中央部の取付座よりも下方に延在する部分の表面が、硬質樹脂により被覆され、硬質樹脂の被覆の表面に、複数の軟質樹脂の突起が、接着され又は一体形成されていることを特徴とする請求項１に記載のスライド式シャワーハンガー。
【発明の詳細な説明】
【０００１】
【産業上の利用分野】
本発明は浴室の洗い場側壁に取り付けるスライド式シャワーハンガーに関するものである。
【０００２】
【従来の技術】
図６に示すように、従来、浴室の洗い場側壁には、両端に取付座が設けられた棒状体から成るスライド式シャワーハンガーと、両端に取付座が設けられた棒状体から成る、立ち上がり時の姿勢保持用の縦型の手すりとが別個に取り付けられていた。
【０００３】
【発明が解決しようとする課題】
図５に示すように、スライド式シャワーハンガーと、縦型の手すりとは、互いに接近して配設されているので、浴室利用者が洗い場の床面から立ち上がる際に、誤って、縦型の手すりの代わりにスライド式シャワーハンガーに掴まる場合がある。スライド式シャワーハンガーは、手すりとしての使用が予定されていないので、縦型の手すりに比べて長いにもかかわらず、取付座は、両端にしか配設されていない。この結果、浴室利用者が洗い場の床面から立ち上がる際に、誤って、スライド式シャワーハンガーに掴まることにより、スライド式シャワーハンガが破損する可能性が無いとは言えない。
本発明は上記の問題点に鑑みてなされたものであり、浴室利用者が洗い場の床面から立ち上がる際に掴まることが予め予定された、十分な強度を有する手すり兼用のスライド式シャワーハンガーを提供することを目的とする。
【０００４】
【課題を解決するための手段】
上記課題を解決するために、本発明においては、棒状体の両端と中央部の計３ケ所に取付座が設けられており、棒状体の中央部の取付座よりも上方に延在する部分はシャワーフックが摺動可能に係合するシャワーハンガーとして機能し、棒状体の中央部の取付座よりも下方に延在する部分は手すりとして機能すると共に表面が軟質樹脂により被覆されていることを特徴とするスライド式シャワーハンガーを提供する。
本発明の好ましい態様においては、前記軟質樹脂の被覆の表面に凹凸が形成されている。
本発明の好ましい態様においては、棒状体の中央部の取付座よりも下方に延在する部分の表面が、硬質樹脂により被覆され、硬質樹脂の被覆の表面に、棒状体の延在方向に延在する複数条の軟質樹脂の帯が、周方向に互いに間隔を隔てて、接着され又は一体形成されている。
本発明の好ましい態様においては、棒状体の中央部の取付座よりも下方に延在する部分の表面が、硬質樹脂により被覆され、硬質樹脂の被覆の表面に、複数の軟質樹脂の突起が、接着され又は一体形成されている。
【０００５】
【作用】
本発明に係るスライド式シャワーハンガーにおいては、棒状体は、両端と中央部の計３ケ所で、浴室側壁に固定されているので、浴室利用者が、洗い場床面から立ち上がる際に、縦型の手すりとして機能する、棒状体の、中央部の取付座よりも下方に延在する部分を、掴んでも、スライド式シャワーハンガーが破損するおそれは無い。本発明に係るスライド式シャワーハンガーを使用することにより、従来の浴室において、スライド式シャワーハンガーに隣接して配設されていた縦型の手すりを省略することができる。これにより、浴室の設置コストが低減する。
【０００６】
本発明に係るスライド式シャワーハンガーにおいては、棒状体の中央部の取付座よりも下方に延在する部分の表面が、軟質樹脂により被覆されているので、当該部分が、軟質樹脂の被覆により、滑り止めされる。この結果、スライド式シャワーハンガーの手すりとしての機能が向上する。
【０００７】
前記軟質樹脂の被覆の表面に凹凸が形成されることにより、軟質樹脂の被覆の滑り止め機能が強化される。
【０００８】
棒状体の中央部の取付座よりも下方に延在する部分の表面が、硬質樹脂により被覆され、硬質樹脂の被覆の表面に、棒状体の延在方向に延在する複数条の軟質樹脂の帯が、周方向に互いに間隔を隔てて、接着され又は一体形成されている場合には、当該部分が、硬質樹脂の被覆の表面に接着、一体形成された複数条の軟質樹脂の帯により、滑り止めされる。この結果、スライド式シャワーハンガーの手すりとしての機能が向上する。
【０００９】
棒状体の中央部の取付座よりも下方に延在する部分の表面が、硬質樹脂により被覆され、硬質樹脂の被覆の表面に、複数の軟質樹脂の突起が、接着され又は一体形成されている場合には、当該部分が、硬質樹脂の被覆の表面に接着、一体形成された複数の軟質樹脂の突起により、滑り止めされる。この結果、スライド式シャワーハンガーの手すりとしての機能が向上する。
【００１０】
【実施例】
本発明の実施例に係るスライド式シャワーハンガー浴室用手すりを、図１〜４に基づいて説明する。
図１に示すように、スライド式シャワーハンガー１が、棒状体２と、棒状体２の両端に設けられた取付座３ａ、３ｂと、棒状体２の中央部に設けられた取付座３ｃとにより構成されている。
図２に示すように、スライド式シャワーハンガー１は、浴室の洗い場側壁Ａに、棒状体２を上下に延在させた状態で、すなわち縦に、取り付けられている。棒状体２の、中央部の取付座３ｃよりも上方に延在する部分２ａに、シャワーフックＢが摺動可能に係合している。棒状体２の上方部分２ａが、スライド式シャワーハンガーとして機能し、棒状体２の、中央部の取付座３ｃよりも下方に延在する部分、すなわち下方部分２ｂが、縦型の手すりとして機能する。
【００１１】
棒状体２は、両端と中央部の計３ケ所で、側壁Ａに固定されているので、浴室利用者が、洗い場床面から立ち上がる際に、縦型の手すりとして機能する、棒状体の下方部分２ｂを掴んでも、スライド式シャワーハンガー１が破損するおそれは無い。スライド式シャワーハンガー１を使用することにより、従来の浴室において、スライド式シャワーハンガーに隣接して配設されていた縦型の手すりを省略することができる。これにより、浴室の設置コストが低減する。
【００１２】
図３に示すように、棒状体の下方部分２ｂの表面が、軟質樹脂の被覆４により覆われている場合には、縦型の手すりとして機能する棒状体の下方部分２ｂが、軟質樹脂の被覆４により、滑り止めされる。この結果、スライド式シャワーハンガー１の手すりとしての機能が向上する。
【００１３】
図３に示すように、軟質樹脂の被覆４の側壁Ａに対峙する表面に凹凸５が形成されることにより、軟質樹脂の被覆４の滑り止め機能が強化される。
【００１４】
図４に示すように、棒状体の下方部分２ｂの表面が、硬質樹脂の被覆６により覆われ、硬質樹脂の被覆６の表面に、上下方向に延在する複数条の軟質樹脂の帯７が、周方向に互いに間隔を隔てて、接着され又は一体形成されている場合には、縦型の手すりとして機能する棒状体の下方部分２ｂが、硬質樹脂の被覆６の表面に接着、一体形成された複数条の軟質樹脂の帯７により、滑り止めされる。この結果、スライド式シャワーハンガー１の手すりとしての機能が向上する。
【００１５】
図５に示すように、棒状体の下方部分２ｂの表面が、硬質樹脂の被覆６により覆われ、硬質樹脂の被覆６の表面に、複数の軟質樹脂の突起８が、接着され又は一体形成されている場合には、縦型の手すりとして機能する棒状体の下方部分２ｂが、硬質樹脂の被覆６の表面に接着、一体形成された複数の軟質樹脂の突起８により、滑り止めされる。この結果、スライド式シャワーハンガー１の手すりとしての機能が向上する。
【００１６】
【効果】
本発明に係るスライド式シャワーハンガーにおいては、棒状体は、両端と中央部の計３ケ所で、浴室側壁に固定されているので、浴室利用者が、洗い場床面から立ち上がる際に、縦型の手すりとして機能する、棒状体の、中央部の取付座よりも下方に延在する部分を、掴んでも、スライド式シャワーハンガーが破損するおそれは無い。本発明に係るスライド式シャワーハンガーを使用することにより、従来の浴室において、スライド式シャワーハンガーに隣接して配設されていた縦型の手すりを省略することができる。これにより、浴室の設置コストが低減する。
【００１７】
本発明に係るスライド式シャワーハンガーにおいては、棒状体の中央部の取付座よりも下方に延在する部分の表面が、軟質樹脂により被覆されている場合には、当該部分が、軟質樹脂の被覆により、滑り止めされる。この結果、スライド式シャワーハンガーの手すりとしての機能が向上する。
【００１８】
前記軟質樹脂の被覆の表面に凹凸が形成されることにより、軟質樹脂の被覆の滑り止め機能が強化される。
【００１９】
棒状体の中央部の取付座よりも下方に延在する部分の表面が、硬質樹脂により被覆され、硬質樹脂の被覆の表面に、棒状体の延在方向に延在する複数条の軟質樹脂の帯が、周方向に互いに間隔を隔てて、接着され又は一体形成されている場合には、当該部分が、硬質樹脂の被覆の表面に接着、一体形成された複数条の軟質樹脂の帯により、滑り止めされる。この結果、スライド式シャワーハンガーの手すりとしての機能が向上する。
【００２０】
棒状体の中央部の取付座よりも下方に延在する部分の表面が、硬質樹脂により被覆され、硬質樹脂の被覆の表面に、複数の軟質樹脂の突起が、接着され又は一体形成されている場合には、当該部分が、硬質樹脂の被覆の表面に接着、一体形成された複数の軟質樹脂の突起により、滑り止めされる。この結果、スライド式シャワーハンガーの手すりとしての機能が向上する。
【図面の簡単な説明】
【図１】本発明の実施例に係るスライド式シャワーハンガーの外観図である。（ａ）は壁に取り付けられた状態での正面図であり、（ｂ）は（ａ）のｂ−ｂ矢視図である。
【図２】本発明の実施例に係るスライド式シャワーハンガーの浴室側壁への取り付け状態を示す、浴室側壁の正面図である。
【図３】軟質樹脂の被覆が施された、本発明の実施例に係るスライド式シャワーハンガーの棒状体の下方部分の側面図である。
【図４】表面に複数条の軟質樹脂の帯が接着、又は一体形成された硬質樹脂の被覆が施された、本発明の実施例に係るスライド式シャワーハンガーの棒状体の下方部分の側面図である。
【図５】表面に複数の軟質樹脂の突起が接着、又は一体形成された硬質樹脂の被覆が施された、本発明の実施例に係るスライド式シャワーハンガーの棒状体の下方部分の側面図である。
【図６】従来の、浴室側壁へのスライド式シャワーハンガーと縦型手すりとの取付け状態を示す、浴室側壁の正面図である。
【符号の説明】
１  スライド式シャワーハンガー
２  棒状体
２ａ  上方部分
２ｂ  下方部分
３ａ、３ｂ、３ｃ  取付座
４  軟質樹脂の被覆
５  凹凸
６  硬質樹脂の被覆
７  軟質樹脂の帯
８  軟質樹脂の突起
Ａ  浴室の洗い場部側壁
Ｂ  シャワーフック
【図１】
0003565369.tif 000002
【図２】
0003565369.tif 000003
【図３】
0003565369.tif 000004
【図４】
0003565369.tif 000005
【図５】
0003565369.tif 000006
【図６】
0003565369.tif 000007